(57)【要約】【課題】  ダウンロード可能なデータ容量に制限のあるコンテンツ再生端末において、１回の購入手続きにより複数のコンテンツファイルをダウンロードする。【解決手段】  ＷＥＢサーバ１００は、商品に含まれるコンテンツファイルの情報、及び、コンテンツファイルを記憶するコンテンツＤＢと、購入者が購入した商品の情報を記憶する購入者ＤＢとを備える。ＷＥＢサーバ１００は、携帯電話２００から購入者の識別情報を受信すると、この購入者が購入した商品に含まれるコンテンツファイルのリストを返送する。そして、このコンテンツファイルのリストの中から、携帯電話２００において購入者が選択したコンテンツファイルの識別情報を受信すると、前記選択されたコンテンツファイルを配信する。【選択図】      図１
2006215701.tif 000002
【特許請求の範囲】
【請求項１】
コンテンツファイルを配信するコンテンツ配信装置と、前記コンテンツ配信装置から配信されたコンテンツファイルを再生するコンテンツ再生端末とからなるコンテンツ配信システムであって、
前記コンテンツ配信装置は、
商品の識別情報と、該商品に含まれるコンテンツファイルの識別情報とを関連付けて記憶するとともに、コンテンツファイルを記憶するコンテンツ記憶手段と、
購入者の識別情報と、前記購入者が購入した商品の識別情報とを関連付けて記憶する購入者記憶手段と、
前記コンテンツ再生端末から購入者の識別情報を受信し、この受信した購入者の識別情報と関連付けて前記購入者記憶手段内に記憶されている商品の識別情報を基に、前記コンテンツ記憶手段から該商品に含まれるコンテンツファイルの識別情報を読み出し、前記購入者が購入した該商品に含まれるコンテンツファイルのリストの情報を生成して返送するファイルリスト送信手段と、
前記ファイルリスト送信手段が返送したコンテンツファイルのリストの情報の中から選択されたコンテンツファイルの識別情報を前記コンテンツ再生端末から受信し、前記選択されたコンテンツファイルを前記コンテンツ記憶手段から読み出して該コンテンツ再生端末へ配信する配信手段とを備え、
前記コンテンツ再生端末は、
前記コンテンツ配信装置へ購入者の識別情報を送信するファイルリスト要求手段と、
前記コンテンツ配信装置から前記購入者が購入した商品に含まれるコンテンツファイルのリストの情報を受信して表示する表示手段と、
前記表示手段が表示したコンテンツファイルのリストの中から、前記購入者により選択されたコンテンツファイルの識別情報を前記コンテンツ配信装置へ送信する選択ファイル通知手段と、
前記選択ファイル通知手段が送信したコンテンツファイルの識別情報に対応して前記コンテンツ配信装置からコンテンツファイルを受信して再生するコンテンツ再生手段とを備える、
ことを特徴とするコンテンツ配信システム。
【請求項２】
コンテンツファイルを配信するコンテンツ配信装置と、前記コンテンツ配信装置から配信されたコンテンツファイルを再生するコンテンツ再生端末とからなるコンテンツ配信システムにおける前記コンテンツ配信装置であって、
商品の識別情報と、該商品に含まれるコンテンツファイルの識別情報とを関連付けて記憶するとともに、コンテンツファイルを記憶するコンテンツ記憶手段と、
購入者の識別情報と、前記購入者が購入した商品の識別情報とを関連付けて記憶する購入者記憶手段と、
前記コンテンツ再生端末から購入者の識別情報を受信し、この受信した購入者の識別情報と関連付けて前記購入者記憶手段内に記憶されている商品の識別情報を基に、前記コンテンツ記憶手段から該商品に含まれるコンテンツファイルの識別情報を読み出し、前記購入者が購入した該商品に含まれるコンテンツファイルのリストの情報を生成して返送するファイルリスト送信手段と、
前記ファイルリスト送信手段が返送したコンテンツファイルのリストの情報の中から選択されたコンテンツファイルの識別情報を前記コンテンツ再生端末から受信し、前記選択されたコンテンツファイルを前記コンテンツ記憶手段から読み出して該コンテンツ再生端末へ配信する配信手段と、
を備えることを特徴とするコンテンツ配信装置。
【請求項３】
前記コンテンツ再生端末から購入者の識別情報及び商品の識別情報と購入要求とを受信し、前記購入者記憶手段に受信した購入者の識別情報及び商品の識別情報を書き込む課金認証手段をさらに備える、
ことを特徴とする請求項２に記載のコンテンツ配信装置。
【請求項４】
前記ファイルリスト送信手段は、前記コンテンツ再生端末から購入者の識別情報及び商品の識別情報を受信し、受信した商品の識別情報が、受信した購入者の識別情報と関連付けて前記購入者記憶手段内に記憶されている場合に、該商品の識別情報を基に前記コンテンツ記憶手段から該商品に含まれるコンテンツファイルの識別情報を読み出し、前記購入者が購入した該商品に含まれるコンテンツファイルのリストの情報を生成して返送する、
ことを特徴とする請求項２または請求項３に記載のコンテンツ配信装置。
【請求項５】
前記配信手段は、さらに、前記購入者が購入した商品に含まれるコンテンツファイルのリストの送信要求を受けるためのアドレスの情報を送信し、
前記ファイルリスト送信手段は、前記配信手段が送信した情報で示されるアドレスを用いて送信された購入者の識別情報及び商品の識別情報を前記コンテンツ再生端末から受信する、
ことを特徴とする請求項４に記載のコンテンツ配信装置。
【請求項６】
前記配信手段は、前記課金認証手段が前記コンテンツ再生端末から購入者の識別情報及び商品の識別情報と購入要求とを受信した後、該商品のコンテンツファイルのリストの送信要求を受けるためのアドレスの情報を返送する、
ことを特徴とする請求項５に記載のコンテンツ配信装置。
【請求項７】
コンテンツファイルを配信するコンテンツ配信装置と、前記コンテンツ配信装置から配信されたコンテンツファイルを再生するコンテンツ再生端末とからなるコンテンツ配信システムにおける前記コンテンツ再生端末であって、
前記コンテンツ配信装置へ購入者の識別情報を送信するファイルリスト要求手段と、
前記コンテンツ配信装置から前記購入者が購入した商品に含まれるコンテンツファイルのリストの情報を受信して表示する表示手段と、
前記表示手段が表示したコンテンツファイルのリストの中から、前記購入者により選択されたコンテンツファイルの識別情報を前記コンテンツ配信装置へ送信する選択ファイル通知手段と、
前記選択ファイル通知手段が送信したコンテンツファイルの識別情報に対応して前記コンテンツ配信装置からコンテンツファイルを受信して再生するコンテンツ再生手段と、
を備えることを特徴とするコンテンツ再生端末。
【請求項８】
コンテンツファイルを配信するコンテンツ配信装置と、前記コンテンツ配信装置から配信されたコンテンツファイルを再生するコンテンツ再生端末とからなるコンテンツ配信システムに用いられるコンテンツ配信方法であって、
前記コンテンツ配信装置は、
商品の識別情報と、該商品に含まれるコンテンツファイルの識別情報とを関連付けて記憶するとともに、コンテンツファイルを記憶するコンテンツ記憶手段と、
購入者の識別情報と、前記購入者が購入した商品の識別情報とを関連付けて記憶する購入者記憶手段とを備えており、
前記コンテンツ再生端末が、
前記コンテンツ配信装置へ購入者の識別情報を送信するファイルリスト要求過程と、
前記コンテンツ配信装置が、
前記コンテンツ再生端末から購入者の識別情報を受信し、この受信した購入者の識別情報と関連付けて前記購入者記憶手段内に記憶されている商品の識別情報を基に、前記コンテンツ記憶手段から該商品に含まれるコンテンツファイルの識別情報を読み出し、前記購入者が購入した該商品に含まれるコンテンツファイルのリストの情報を生成して返送するファイルリスト送信過程と、
コンテンツ再生端末が、
前記コンテンツ配信装置から前記購入者が購入した商品に含まれるコンテンツファイルのリストの情報を受信して表示する表示過程と、
表示されたコンテンツファイルのリストの中から、前記購入者により選択されたコンテンツファイルの識別情報を前記コンテンツ配信装置へ送信する選択ファイル通知過程と、
前記コンテンツ配信装置が、
送信した前記コンテンツファイルのリストの情報の中から選択されたコンテンツファイルの識別情報を前記コンテンツ再生端末から受信し、前記選択されたコンテンツファイルを前記コンテンツ記憶手段から読み出して該コンテンツ再生端末へ配信する配信過程と、
前記コンテンツ再生端末が、
前記コンテンツ配信装置からコンテンツファイルを受信して再生するコンテンツ再生過程と、
を有することを特徴とするコンテンツ配信方法。
【請求項９】
コンテンツファイルを配信するコンテンツ配信装置と、前記コンテンツ配信装置から配信されたコンテンツファイルを再生するコンテンツ再生端末とからなるコンテンツ配信システムの前記コンテンツ配信装置に用いられるコンテンツ配信方法であって、
前記コンテンツ配信装置は、
商品の識別情報と、該商品に含まれるコンテンツファイルの識別情報とを関連付けて記憶するとともに、コンテンツファイルを記憶するコンテンツ記憶手段と、
購入者の識別情報と、前記購入者が購入した商品の識別情報とを関連付けて記憶する購入者記憶手段とを備えており、
前記コンテンツ再生端末から購入者の識別情報を受信し、この受信した購入者の識別情報と関連付けて前記購入者記憶手段内に記憶されている商品の識別情報を基に、前記コンテンツ記憶手段から該商品に含まれるコンテンツファイルの識別情報を読み出し、前記購入者が購入した該商品に含まれるコンテンツファイルのリストの情報を生成して返送するファイルリスト送信過程と、
前記ファイルリスト送信過程において返送したコンテンツファイルのリストの情報の中から選択されたコンテンツファイルの識別情報を前記コンテンツ再生端末から受信し、前記選択されたコンテンツファイルを前記コンテンツ記憶手段から読み出して該コンテンツ再生端末へ配信する配信過程と、
を有することを特徴とするコンテンツ配信方法。
【請求項１０】
コンテンツファイルを配信するコンテンツ配信装置と、前記コンテンツ配信装置から配信されたコンテンツファイルを再生するコンテンツ再生端末とからなるコンテンツ配信システムの前記コンテンツ再生端末に用いられるコンテンツ受信方法であって、
前記コンテンツ配信装置へ購入者の識別情報を送信するファイルリスト要求過程と、
前記コンテンツ配信装置から前記購入者が購入した商品に含まれるコンテンツファイルのリストの情報を受信して表示する表示過程と、
前記表示過程において表示したコンテンツファイルのリストの中から、前記購入者により選択されたコンテンツファイルの識別情報を前記コンテンツ配信装置へ送信する選択ファイル通知過程と、
前記選択ファイル通知過程において送信したコンテンツファイルの識別情報に対応して前記コンテンツ配信装置からコンテンツファイルを受信して再生するコンテンツ再生過程と、
を有することを特徴とするコンテンツ受信方法。
【請求項１１】
コンテンツファイルを配信するコンテンツ配信装置と、前記コンテンツ配信装置から配信されたコンテンツファイルを再生するコンテンツ再生端末とからなるコンテンツ配信システムにおける前記コンテンツ配信装置のコンピュータを、
商品の識別情報と、該商品に含まれるコンテンツファイルの識別情報とを関連付けて記憶するとともに、コンテンツファイルを記憶するコンテンツ記憶手段、
購入者の識別情報と、前記購入者が購入した商品の識別情報とを関連付けて記憶する購入者記憶手段、
前記コンテンツ再生端末から購入者の識別情報を受信し、この受信した購入者の識別情報と関連付けて前記購入者記憶手段内に記憶されている商品の識別情報を基に、前記コンテンツ記憶手段から該商品に含まれるコンテンツファイルの識別情報を読み出し、前記購入者が購入した該商品に含まれるコンテンツファイルのリストの情報を生成して返送するファイルリスト送信手段、
前記ファイルリスト送信手段が返送したコンテンツファイルのリストの情報の中から選択されたコンテンツファイルの識別情報を前記コンテンツ再生端末から受信し、前記選択されたコンテンツファイルを前記コンテンツ記憶手段から読み出して該コンテンツ再生端末へ配信する配信手段、
として機能させるためのコンピュータプログラム。
【発明の詳細な説明】
【技術分野】
【０００１】
本発明は、コンテンツ配信システム、コンテンツ配信装置、コンテンツ再生端末、コンテンツ配信方法、コンテンツ受信方法、及び、コンピュータプログラムに関する。
【背景技術】
【０００２】
従来、コンテンツを販売するコンテンツプロバイダがネットワーク上にコンテンツ配信サーバを設置し、携帯端末がネットワークを介してこのコンテンツ配信サーバにアクセスしてコンテンツを購入することが行われている。このとき、ユーザは、コンテンツファイルをダウンロードする都度、コンテンツの購入手続きを行わなければならなかった。コンテンツの購入手続きは以下のように行われる。まず、コンテンツ配信サーバから、携帯電話に利用規約の情報が送信される。ユーザは、携帯電話に表示される利用規約を閲覧した後、ユーザのパスワードと、利用規約に同意する旨の情報とをコンテンツ配信サーバに送信する。コンテンツ配信サーバにおいて、携帯電話から受信したパスワードによりユーザが認証されると、購入したコンテンツが携帯電話にダウンロードされる。
一方、特許文献１には、サーバが、ネットワークを介して接続されるユーザ端末から要求のあった書籍をまとめて送信し、ユーザ端末から書籍を利用する旨の通知を受信した場合に課金処理を行うことが記載されている。
【特許文献１】特開２００２−２４５２６５号公報
【発明の開示】
【発明が解決しようとする課題】
【０００３】
携帯電話は、ダウンロード可能なデータ容量が少ないため、１つのコンテンツを複数のコンテンツファイルに分割してダウンロードしなければならない場合がある。しかし、従来は、コンテンツファイルをダウンロードする都度、コンテンツの購入手続きを行っていたため、複数のコンテンツファイルからなるコンテンツを購入する場合には、何度も購入手続きを行う必要があった。例えば、第１話〜第１０話からなる電子書籍を購入する場合、１度にダウンロード可能なデータ容量が１話分であれば、１話毎のコンテンツファイルのダウンロードについて、つまり１０回の購入手続きが必要であった。これは、コンテンツを購入するユーザにとって、非常に煩雑であるという問題があった。また、購入手続きを何度も行う手間がかかることにより、ユーザが面倒になって途中でコンテンツの購入をやめてしまうこともあり、コンテンツプロバイダにとって、売上低下の要因となっているという問題があった。しかし、特許文献１の技術は、ダウンロードの容量の制限がある携帯電話には適用することはできない。
【０００４】
本発明は上記事情に鑑みてなされたものであり、ダウンロード可能なデータ容量に制限のあるコンテンツ再生端末において、１回の購入手続きにより複数のコンテンツファイルをダウンロードすることができるコンテンツ配信システム、コンテンツ配信装置、コンテンツ再生端末、コンテンツ配信方法、コンテンツ受信方法、及び、コンピュータプログラムを提供することを目的とする。
【課題を解決するための手段】
【０００５】
上記目的を達成するために、請求項１に記載の発明は、コンテンツファイルを配信するコンテンツ配信装置と、前記コンテンツ配信装置から配信されたコンテンツファイルを再生するコンテンツ再生端末とからなるコンテンツ配信システムであって、前記コンテンツ配信装置は、商品の識別情報と、該商品に含まれるコンテンツファイルの識別情報とを関連付けて記憶するとともに、コンテンツファイルを記憶するコンテンツ記憶手段と、購入者の識別情報と、前記購入者が購入した商品の識別情報とを関連付けて記憶する購入者記憶手段と、前記コンテンツ再生端末から購入者の識別情報を受信し、この受信した購入者の識別情報と関連付けて前記購入者記憶手段内に記憶されている商品の識別情報を基に、前記コンテンツ記憶手段から該商品に含まれるコンテンツファイルの識別情報を読み出し、前記購入者が購入した該商品に含まれるコンテンツファイルのリストの情報を生成して返送するファイルリスト送信手段と、前記ファイルリスト送信手段が返送したコンテンツファイルのリストの情報の中から選択されたコンテンツファイルの識別情報を前記コンテンツ再生端末から受信し、前記選択されたコンテンツファイルを前記コンテンツ記憶手段から読み出して該コンテンツ再生端末へ配信する配信手段とを備え、前記コンテンツ再生端末は、前記コンテンツ配信装置へ購入者の識別情報を送信するファイルリスト要求手段と、前記コンテンツ配信装置から前記購入者が購入した商品に含まれるコンテンツファイルのリストの情報を受信して表示する表示手段と、前記表示手段が表示したコンテンツファイルのリストの中から、前記購入者により選択されたコンテンツファイルの識別情報を前記コンテンツ配信装置へ送信する選択ファイル通知手段と、前記選択ファイル通知手段が送信したコンテンツファイルの識別情報に対応して前記コンテンツ配信装置からコンテンツファイルを受信して再生するコンテンツ再生手段とを備える、ことを特徴とするコンテンツ配信システムである。
【０００６】
請求項２に記載の発明は、コンテンツファイルを配信するコンテンツ配信装置と、前記コンテンツ配信装置から配信されたコンテンツファイルを再生するコンテンツ再生端末とからなるコンテンツ配信システムにおける前記コンテンツ配信装置であって、商品の識別情報と、該商品に含まれるコンテンツファイルの識別情報とを関連付けて記憶するとともに、コンテンツファイルを記憶するコンテンツ記憶手段と、購入者の識別情報と、前記購入者が購入した商品の識別情報とを関連付けて記憶する購入者記憶手段と、前記コンテンツ再生端末から購入者の識別情報を受信し、この受信した購入者の識別情報と関連付けて前記購入者記憶手段内に記憶されている商品の識別情報を基に、前記コンテンツ記憶手段から該商品に含まれるコンテンツファイルの識別情報を読み出し、前記購入者が購入した該商品に含まれるコンテンツファイルのリストの情報を生成して返送するファイルリスト送信手段と、前記ファイルリスト送信手段が返送したコンテンツファイルのリストの情報の中から選択されたコンテンツファイルの識別情報を前記コンテンツ再生端末から受信し、前記選択されたコンテンツファイルを前記コンテンツ記憶手段から読み出して該コンテンツ再生端末へ配信する配信手段と、を備えることを特徴とするコンテンツ配信装置である。
【０００７】
請求項３に記載の発明は、請求項２に記載のコンテンツ配信装置であって、前記コンテンツ再生端末から購入者の識別情報及び商品の識別情報と購入要求とを受信し、前記購入者記憶手段に受信した購入者の識別情報及び商品の識別情報を書き込む課金認証手段をさらに備える、ことを特徴とする。
【０００８】
請求項４に記載の発明は、請求項２または請求項３に記載のコンテンツ配信装置であって、前記ファイルリスト送信手段は、前記コンテンツ再生端末から購入者の識別情報及び商品の識別情報を受信し、受信した商品の識別情報が、受信した購入者の識別情報と関連付けて前記購入者記憶手段内に記憶されている場合に、該商品の識別情報を基に前記コンテンツ記憶手段から該商品に含まれるコンテンツファイルの識別情報を読み出し、前記購入者が購入した該商品に含まれるコンテンツファイルのリストの情報を生成して返送する、ことを特徴とする。
【０００９】
請求項５に記載の発明は、請求項４に記載のコンテンツ配信装置であって、前記配信手段は、さらに、前記購入者が購入した商品に含まれるコンテンツファイルのリストの送信要求を受けるためのアドレスの情報を送信し、前記ファイルリスト送信手段は、前記配信手段が送信した情報で示されるアドレスを用いて送信された購入者の識別情報及び商品の識別情報を前記コンテンツ再生端末から受信する、ことを特徴とする。
【００１０】
請求項６に記載の発明は、請求項５に記載のコンテンツ配信装置であって、前記配信手段は、前記課金認証手段が前記コンテンツ再生端末から購入者の識別情報及び商品の識別情報と購入要求とを受信した後、該商品のコンテンツファイルのリストの送信要求を受けるためのアドレスの情報を返送する、ことを特徴とする。
【００１１】
請求項７に記載の発明は、コンテンツファイルを配信するコンテンツ配信装置と、前記コンテンツ配信装置から配信されたコンテンツファイルを再生するコンテンツ再生端末とからなるコンテンツ配信システムにおける前記コンテンツ再生端末であって、前記コンテンツ配信装置へ購入者の識別情報を送信するファイルリスト要求手段と、前記コンテンツ配信装置から前記購入者が購入した商品に含まれるコンテンツファイルのリストの情報を受信して表示する表示手段と、前記表示手段が表示したコンテンツファイルのリストの中から、前記購入者により選択されたコンテンツファイルの識別情報を前記コンテンツ配信装置へ送信する選択ファイル通知手段と、前記選択ファイル通知手段が送信したコンテンツファイルの識別情報に対応して前記コンテンツ配信装置からコンテンツファイルを受信して再生するコンテンツ再生手段と、を備えることを特徴とするコンテンツ再生端末である。
【００１２】
請求項８に記載の発明は、コンテンツファイルを配信するコンテンツ配信装置と、前記コンテンツ配信装置から配信されたコンテンツファイルを再生するコンテンツ再生端末とからなるコンテンツ配信システムに用いられるコンテンツ配信方法であって、前記コンテンツ配信装置は、商品の識別情報と、該商品に含まれるコンテンツファイルの識別情報とを関連付けて記憶するとともに、コンテンツファイルを記憶するコンテンツ記憶手段と、購入者の識別情報と、前記購入者が購入した商品の識別情報とを関連付けて記憶する購入者記憶手段とを備えており、前記コンテンツ再生端末が、前記コンテンツ配信装置へ購入者の識別情報を送信するファイルリスト要求過程と、前記コンテンツ配信装置が、前記コンテンツ再生端末から購入者の識別情報を受信し、この受信した購入者の識別情報と関連付けて前記購入者記憶手段内に記憶されている商品の識別情報を基に、前記コンテンツ記憶手段から該商品に含まれるコンテンツファイルの識別情報を読み出し、前記購入者が購入した該商品に含まれるコンテンツファイルのリストの情報を生成して返送するファイルリスト送信過程と、コンテンツ再生端末が、前記コンテンツ配信装置から前記購入者が購入した商品に含まれるコンテンツファイルのリストの情報を受信して表示する表示過程と、表示されたコンテンツファイルのリストの中から、前記購入者により選択されたコンテンツファイルの識別情報を前記コンテンツ配信装置へ送信する選択ファイル通知過程と、前記コンテンツ配信装置が、送信した前記コンテンツファイルのリストの情報の中から選択されたコンテンツファイルの識別情報を前記コンテンツ再生端末から受信し、前記選択されたコンテンツファイルを前記コンテンツ記憶手段から読み出して該コンテンツ再生端末へ配信する配信過程と、前記コンテンツ再生端末が、前記コンテンツ配信装置からコンテンツファイルを受信して再生するコンテンツ再生過程と、を有することを特徴とするコンテンツ配信方法である。
【００１３】
請求項９に記載の発明は、コンテンツファイルを配信するコンテンツ配信装置と、前記コンテンツ配信装置から配信されたコンテンツファイルを再生するコンテンツ再生端末とからなるコンテンツ配信システムの前記コンテンツ配信装置に用いられるコンテンツ配信方法であって、前記コンテンツ配信装置は、商品の識別情報と、該商品に含まれるコンテンツファイルの識別情報とを関連付けて記憶するとともに、コンテンツファイルを記憶するコンテンツ記憶手段と、購入者の識別情報と、前記購入者が購入した商品の識別情報とを関連付けて記憶する購入者記憶手段とを備えており、前記コンテンツ再生端末から購入者の識別情報を受信し、この受信した購入者の識別情報と関連付けて前記購入者記憶手段内に記憶されている商品の識別情報を基に、前記コンテンツ記憶手段から該商品に含まれるコンテンツファイルの識別情報を読み出し、前記購入者が購入した該商品に含まれるコンテンツファイルのリストの情報を生成して返送するファイルリスト送信過程と、前記ファイルリスト送信過程において返送したコンテンツファイルのリストの情報の中から選択されたコンテンツファイルの識別情報を前記コンテンツ再生端末から受信し、前記選択されたコンテンツファイルを前記コンテンツ記憶手段から読み出して該コンテンツ再生端末へ配信する配信過程と、を有することを特徴とするコンテンツ配信方法である。
【００１４】
請求項１０に記載の発明は、コンテンツファイルを配信するコンテンツ配信装置と、前記コンテンツ配信装置から配信されたコンテンツファイルを再生するコンテンツ再生端末とからなるコンテンツ配信システムの前記コンテンツ再生端末に用いられるコンテンツ再生方法であって、前記コンテンツ配信装置へ購入者の識別情報を送信するファイルリスト要求過程と、前記コンテンツ配信装置から前記購入者が購入した商品に含まれるコンテンツファイルのリストの情報を受信して表示する表示過程と、前記表示過程において表示したコンテンツファイルのリストの中から、前記購入者により選択されたコンテンツファイルの識別情報を前記コンテンツ配信装置へ送信する選択ファイル通知過程と、前記選択ファイル通知過程において送信したコンテンツファイルの識別情報に対応して前記コンテンツ配信装置からコンテンツファイルを受信して再生するコンテンツ再生過程と、を有することを特徴とするコンテンツ再生方法である。
【００１５】
請求項１１に記載の発明は、コンテンツファイルを配信するコンテンツ配信装置と、前記コンテンツ配信装置から配信されたコンテンツファイルを再生するコンテンツ再生端末とからなるコンテンツ配信システムにおける前記コンテンツ配信装置のコンピュータを、商品の識別情報と、該商品に含まれるコンテンツファイルの識別情報とを関連付けて記憶するとともに、コンテンツファイルを記憶するコンテンツ記憶手段、購入者の識別情報と、前記購入者が購入した商品の識別情報とを関連付けて記憶する購入者記憶手段、前記コンテンツ再生端末から購入者の識別情報を受信し、この受信した購入者の識別情報と関連付けて前記購入者記憶手段内に記憶されている商品の識別情報を基に、前記コンテンツ記憶手段から該商品に含まれるコンテンツファイルの識別情報を読み出し、前記購入者が購入した該商品に含まれるコンテンツファイルのリストの情報を生成して返送するファイルリスト送信手段、前記ファイルリスト送信手段が返送したコンテンツファイルのリストの情報の中から選択されたコンテンツファイルの識別情報を前記コンテンツ再生端末から受信し、前記選択されたコンテンツファイルを前記コンテンツ記憶手段から読み出して該コンテンツ再生端末へ配信する配信手段、として機能させるためのコンピュータプログラムである。
【発明の効果】
【００１６】
請求項１、２、及び、７〜１１の発明によれば、コンテンツ配信装置は、購入者のコンテンツ再生端末へ、当該購入者が購入済みの商品に含まれるコンテンツファイルのリストを通知し、購入者は、通知されたコンテンツファイルのリストの中から選択したコンテンツファイルをコンテンツ配信装置からダウンロードする。従って、コンテンツ再生端末におけるデータ容量制限を越えたコンテンツの販売や、シリーズもののコンテンツのセット販売が可能となり、コンテンツプロバイダの売上拡大を図ることができる。また、購入者は、コンテンツファイルのダウンロードの都度、課金を行う必要がなくなるため、手間が省けるとともに、購買意欲が増す。
請求項３の発明によれば、既存のコンテンツ配信システムにおける課金システムを利用しながら、１回の課金手続きにより、コンテンツ再生端末におけるデータ容量制限を越えたコンテンツの販売が可能となる。
請求項４の発明によれば、コンテンツファイルのリストを要求している商品を購入者が購入したか否かを確認することができるため、安全性が高まる。
請求項５の発明によれば、コンテンツ配信装置は、購入済みの商品に含まれるコンテンツファイルのリストを要求するためのアドレス、例えば、ＵＲＬ（Universal Resource Locator）をコンテンツ再生端末に通知するため、購入者は、都度アドレスを入力する必要なく、簡易な操作により、コンテンツ配信装置へ自身が購入した商品のコンテンツファイルのリストを要求することができる。
請求項６の発明によれば、コンテンツ配信装置は、購入手続き完了後に、購入された商品のコンテンツファイルのリストの要求に用いられるアドレスを通知するため、正当な購入者からのみ要求を受けることができ、安全性が高まる。
【発明を実施するための最良の形態】
【００１７】
以下、図面を参照して、本発明の一実施の形態について説明する。
図１は、本発明の一実施の形態によるコンテンツ配信システムの構成を示すブロック図である。ネットワーク上でコンテンツを販売するコンテンツプロバイダは、コンテンツ配信装置としてのＷＥＢ（ウェブ）サーバ１００を保有している。コンテンツの購入者は、コンテンツ再生端末としての携帯電話２００を所持している。携帯電話２００へ携帯電話サービスを提供している携帯キャリアは、認証課金サーバ３００を保有している。ＷＥＢサーバ１００と、携帯電話２００，２００，２００…及び認証課金サーバ３００とは、携帯電話網、インターネット網等からなるネットワークＮを介して接続される。
ＷＥＢサーバ１００は、携帯電話２００へ複数のコンテンツファイルを含む商品を販売する。ここでは、１コンテンツは、１コンテンツファイルに納められているものとする。
【００１８】
図２は、本発明の一実施の形態による携帯電話２００の構成を示すブロック図であり、本発明と関係する機能ブロックのみ抽出してある。携帯電話２００は、制御部２１０、通信部２２０、入力部２３０、出力部２４０、ウェブ画面表示部２５０、コンテンツ再生部２６０、情報送信部２７０、及び、コンテンツファイル記憶部２８０を備える。
制御部２１０は、ＣＰＵ（central processing unit）及び各種メモリから構成され、各部の制御や、データの一時的な格納や、データの転送等を行う。通信部２２０は、ネットワークＮを介したデータの送受信を行う。入力部２３０は、入力キーやボタンなどであり、購入者が情報を入力するための手段である。出力部２４０は、ＬＣＤ（liquid crystal display）などのディスプレイや、音声を出力するスピーカーである。
【００１９】
ウェブ画面表示部２５０は、例えばブラウザであり、ウェブ画面情報であるウェブページを出力部２４０により出力する。コンテンツ再生部２６０は、コンテンツファイルを再生して出力部２４０により出力する。これは、例えば、コンテンツファイルを再生するためのアプリケーションソフトウェアであるビューアにより実現される。情報送信部２７０は、購入要求送信部２７１、ファイルリスト要求部２７２、選択ファイル通知部２７３を備える。購入要求送信部２７１は、購入者ＩＤ、購入する商品の商品ＩＤ、購入者のパスワード、及び、購入要求をＷＥＢサーバ１００へ送信する。なお、購入者ＩＤとは、購入者を一意に識別する情報であり、本実施の形態では、購入者ＩＤとして、購入者の携帯電話２００を一意に識別する端末ＩＤを使用する。また、商品ＩＤとは、商品を一意に識別する情報であり、課金単位に発行される。ファイルリスト要求部２７２は、ファイルリスト表示ページの送信要求をＷＥＢサーバ１００へ送信する。ファイルリスト表示ページとは、商品に含まれるコンテンツファイルのリストを表示するとともに、このリストの中から次にダウンロードするコンテンツファイルを選択するための画面情報である。選択ファイル通知部２７３は、ファイルリスト表示ページに表示されているコンテンツファイルのリストの中から、購入者が選択したコンテンツファイルの識別情報をＷＥＢサーバ１００へ送信する。コンテンツファイル記憶部２８０は、ＷＥＢサーバ１００から受信したコンテンツファイルを記憶する。
なお、携帯電話２００には、受話器及び送話器を制御する音声処理部（図示せず）がさらに付加される。
【００２０】
図３は、本発明の一実施の形態によるＷＥＢサーバ１００の構成を示すブロック図であり、本発明と関係する機能ブロックのみ抽出して示してある。
ＷＥＢサーバ１００は、制御部１１０、通信部１２０、コンテンツＤＢ１３０、サイト生成部１５０、ビューア配布部１６０、課金認証・コンテンツ配信部１７０、購入者ＤＢ１４０、ファイルリスト送信部１８０、及び、第２の配信部１９０を備える。
制御部１１０は、ＣＰＵ及び各種メモリから構成され、各部の制御や、データの一時的な格納や、データの転送等を行う。通信部１２０は、ネットワークＮを介したデータの送受信を行う。
【００２１】
コンテンツＤＢ１３０は、商品に含まれるコンテンツファイルの情報を示す商品情報と、コンテンツファイルと、ビューアのアプリケーションソフトウェアファイルとを記憶する。商品情報には、商品ＩＤと、この商品ＩＤにより識別される商品に含まれるコンテンツファイルのコンテンツファイルＩＤとが登録される。コンテンツファイルＩＤとは、コンテンツファイルを一意に識別する情報であり、例えば、コンテンツファイルの名称が用いられる。また、コンテンツファイルが登録されているフォルダの情報などが付加される場合もある。コンテンツファイルは、動画、静止画、音声、テキストなどのコンテンツのデータを含んでおり、さらに、コンテンツのデータの再生のために用いられる各種情報などが含まれる場合もある。
購入者ＤＢ１４０は、購入者が購入した商品の情報を示す購入者情報を記憶する。購入者情報には、購入者ＩＤ毎に、この購入者ＩＤで識別される購入者が購入した商品の商品ＩＤと、当該商品を購入した年月日と、当該商品あるいは当該商品に含まれる各コンテンツファイルをダウンロードした年月日との情報が登録される。
【００２２】
サイト生成部１５０は、商品購入サイトのウェブページを生成し、携帯電話２００へ送信する。ビューア配布部１６０は、ビューアを携帯電話２００へ送信する。課金認証・コンテンツ配信部１７０は、課金認証部１７１と第１の配信部１７２とを含む。課金認証部１７１は、購入者ＩＤとしての端末ＩＤ、購入する商品の商品ＩＤ、購入者のパスワード、及び、購入要求を携帯電話２００から受信し、パスワードにより購入者を認証した場合に、購入者ＤＢ１４０内の購入者情報へ受信した端末ＩＤ及び商品ＩＤと、購入年月日との情報を書き込む。さらに、認証課金サーバ３００へ、商品販売情報を送信する。商品販売情報は、例えば、端末ＩＤ、商品ＩＤ、購入日時、購入金額などの情報を含む。第１の配信部１７２は、課金認証部１７１が購入者を認証した場合に、購入された商品に含まれ、かつ、最初に送信すべきコンテンツファイルと、ファイルリスト表示ページを配信するサイトのアドレスであるファイルリスト配信アドレスの情報とを携帯電話２００へ送信する。ファイルリスト送信部１８０は、ファイルリスト配信アドレスによりアクセスしてきた携帯電話２００へファイルリスト表示ページを送信する。第２の配信部１９０は、ファイルリスト表示ページにより表示されるコンテンツファイルのリストの中から、購入者が選択したコンテンツファイルの識別情報を受信し、この選択されたコンテンツファイルをコンテンツＤＢ１３０から読み出して配信する。
【００２３】
認証課金サーバ３００は、携帯電話２００の認証情報及び課金情報を記憶する。認証情報には、パスワード情報が含まれる。パスワード情報には、端末ＩＤ毎のパスワードの情報が登録される。課金情報には、ＷＥＢサーバ１００から受信した商品販売情報が含まれる。
【００２４】
図４は、ＷＥＢサーバ１００のコンテンツＤＢ１３０内に保持される商品情報の設定例を示す図である。同図において商品情報には、商品ＩＤ「０００１」、「０００２」、「０００３」、…が登録されている。そして、商品ＩＤが「０００１」の商品には、コンテンツファイルＩＤ「Ａ０００１」，「Ａ０００２」，「Ａ０００３」，「Ａ０００４」，「Ａ０００５」により識別される５つのコンテンツファイルが含まれることを示している。同様に、商品ＩＤが「０００２」の商品には、コンテンツファイルＩＤ「Ｂ０００１」，「Ｂ０００２」，「Ｂ０００３」により識別される３つのコンテンツファイルが含まれることを示している。
【００２５】
図５は、ＷＥＢサーバ１００の購入者ＤＢ１４０内に保持される購入者情報の設定例を示す図である。同図において購入者情報には、端末ＩＤ「ＡＢＣ０１２ＤＥＦ」、「ＨＧＫ３４５ＬＭＮ」、…が登録されている。そして、端末ＩＤ「ＡＢＣ０１２ＤＥＦ」で識別される購入者が購入した商品の商品ＩＤは「０００１」、購入年月日は「２００Ｘ／０２／０１」であり、コンテンツファイルＩＤ「Ａ０００１」、「Ａ０００２」で識別されるコンテンツファイルは「２００Ｘ／０２／０１」に、コンテンツファイルＩＤ「Ａ０００３」、「Ａ０００４」で識別されるコンテンツファイルは「２００Ｘ／０２／０２」に、コンテンツファイルＩＤ「Ａ０００５」で識別されるコンテンツファイルは「２００Ｘ／０２／０４」にダウンロードされたことを示している。
【００２６】
図６は、コンテンツ販売システムの動作手順を示す図である。
認証課金サーバ３００には、予めパスワード情報が登録されている。コンテンツプロバイダは、ＷＥＢサーバ１００のコンテンツＤＢ１３０に、商品情報と、コンテンツファイルを登録する（ステップＳ１１）。コンテンツファイルは、例えば、電子書籍である。
携帯電話２００が、ＷＥＢサーバ１００の商品購入サイトへアクセスする（ステップＳ１３）。ＷＥＢサーバ１００のサイト生成部１５０は商品購入サイトのトップページである商品購入トップページを生成して携帯電話２００へ送信する（ステップＳ１５）。携帯電話２００のウェブ画面表示部２５０としてのブラウザは、受信した商品購入トップページを出力部２４０により表示する。
【００２７】
次に、ＷＥＢサーバ１００のビューア配布部１６０は、コンテンツＤＢ１３０からビューアのアプリケーションソフトウェアファイルであるビューアアプリを読み出して、携帯電話２００へ送信する（ステップＳ１７）。ビューア配布部１６０は、携帯電話２００からビューアの配布要求を受けた場合、あるいは、アクセス元の携帯電話２００に以前ビューアアプリを送信したことがない場合にのみ、ビューアアプリを送信することでもよい。携帯電話２００は、受信したビューアのアプリケーションソフトウェアファイルを内部の不揮発性メモリまたはハードディスクにコピーし、インストールする。これにより、コンテンツ再生部２６０としてのビューアが生成される。
【００２８】
次に、購入者は、携帯電話２００の入力部２３０により、購入する商品の情報、パスワードの情報、購入要求送信の指示を入力する。購入要求送信部２７１は、自身の端末ＩＤ、購入する商品の商品ＩＤ、パスワード、及び、購入要求をＷＥＢサーバ１００へ送信する（ステップＳ１９）。ＷＥＢサーバ１００の課金認証・コンテンツ配信部１７０は、携帯電話２００から送信された端末ＩＤ、商品ＩＤ、パスワード、及び、購入要求を受信する。すると、課金認証部１７１は、受信した端末ＩＤとパスワードの情報を認証課金サーバ３００に送信し、パスワード情報に登録されているか否かを問い合わせる。認証課金サーバ３００から登録されている旨の応答を受信した場合、課金認証部１７１は、購入者が正当であると判断する。購入者が正当であると判断すると、第１の配信部１７２は、受信した商品ＩＤをキーにコンテンツＤＢ１３０内の商品情報を検索し、この商品ＩＤに対応して登録されているコンテンツファイルＩＤのリストの中から、最初に送信すべきコンテンツであるコンテンツ１のコンテンツファイルＩＤを選択する。これは、例えば、当該商品ＩＤに対応するコンテンツファイルＩＤとして最初に登録されているコンテンツファイルＩＤとする。なお、最初に送信すべきコンテンツのコンテンツファイルＩＤの情報を商品情報内に保持することでもよい。第１の配信部１７２は、コンテンツ１のコンテンツファイルＩＤで特定されるコンテンツファイルをコンテンツＤＢ１３０から読み出す。第１の配信部１７２は、コンテンツ１のコンテンツファイルと、ファイルリスト配信アドレスの情報とを携帯電話２００へ送信する（ステップＳ２１）。コンテンツ１のコンテンツファイルの送信が完了すると、課金認証部１７１は、購入者ＤＢ１４０内の購入者情報へ、端末ＩＤ、商品ＩＤ、購入年月日、コンテンツ１のコンテンツファイルをダウンロードした年月日を書き込む。さらに、課金認証部１７１は、商品販売情報を生成して携帯キャリアの認証課金サーバ３００へ送信する（ステップＳ２３）。
携帯電話２００は、ＷＥＢサーバ１００から受信したコンテンツファイル及びファイルリスト配信アドレスの情報とをコンテンツファイル記憶部２８０へ書き込む。ビューアは、受信したコンテンツファイルを再生し、コンテンツ１とファイルリスト配信アドレスとを出力２４０から出力する。
【００２９】
次に、携帯電話２００のファイルリスト要求部２７２は、ファイルリスト配信アドレスを用いて、端末ＩＤ及び商品ＩＤと、ファイルリスト要求とを送信する（ステップＳ２５）。なお、ファイルリスト配信アドレス自体がファイルリスト要求を示すことでもよい。また、ファイルリスト配信アドレスが、商品毎に異なる場合には、商品ＩＤを送信する必要はない。ＷＥＢサーバ１００のファイルリスト送信部１８０は、ファイルリスト配信アドレスを用いて携帯電話２００から送信された端末ＩＤ及び商品ＩＤを受信する。ファイルリスト送信部１８０は、受信した端末ＩＤと商品ＩＤの組が、購入者ＤＢ１４０内の購入者情報に登録されている場合に、購入者が正当であると判断する。購入者が正当であると判断すると、ファイルリスト送信部１８０は、商品ＩＤをキーにコンテンツＤＢ１３０内の商品情報を検索し、当該商品ＩＤに対応するコンテンツファイルＩＤを読み出す。そして、これらの各コンテンツファイルＩＤで特定されるコンテンツファイルのリストを表示するための画面情報であるファイルリスト表示ページを生成し、携帯電話２００へ送信する（ステップＳ２７）。
【００３０】
携帯電話２００のブラウザは、ＷＥＢサーバ１００から受信したファイルリスト表示ページを出力部２４０から出力する。購入者は、携帯電話２００の入力部２３０により、ダウンロードするコンテンツファイルの情報を入力する。ここでは、コンテンツ２のコンテンツファイルが選択されたとする。選択ファイル通知部２７３は、ダウンロードする対象として選択されたコンテンツファイルを識別する情報を示す選択コンテンツファイル情報をＷＥＢサーバ１００へ送信する（ステップＳ２９）。選択コンテンツファイル情報は、例えば、選択されたコンテンツのコンテンツファイルＩＤでもよく、選択されたコンテンツのコンテンツファイルをダウンロードするサイトのアドレスであってもよい。ＷＥＢサーバ１００の第２の配信部１９０は、選択コンテンツファイル情報を受信すると、この選択コンテンツファイル情報で示されるコンテンツ２のコンテンツファイルをコンテンツＤＢ１３０から読み出す。第２の配信部１９０は、読み出したコンテンツ２のコンテンツファイルと、ファイルリスト配信アドレスの情報とを携帯電話２００へ返送する（ステップＳ３１）。さらに、第２の配信部１９０は、購入者ＤＢ１４０内の購入者情報へ、コンテンツ２のコンテンツファイルをダウンロードした年月日を書き込む。携帯電話２００は、ＷＥＢサーバ１００から受信したコンテンツファイル及びファイルリスト配信アドレスの情報とをコンテンツファイル記憶部２８０へ書き込む。ビューアは、受信したコンテンツファイルを再生し、コンテンツ２とファイルリスト配信アドレスとを出力部２４０から出力する。
購入者が、コンテンツ２を閲覧したあと、さらに、他のコンテンツのコンテンツファイルをダウンロードする場合、ステップＳ２５からの処理を繰り返す。
【００３１】
図７は、購入者から見た携帯電話２００における購入・ダウンロード遷移を示す図である。
まず、携帯電話２００から商品購入トップページのＵＲＬを用いてＷＥＢサーバ１００へアクセスする。ＷＥＢサーバ１００は、商品購入トップページＰ１を返送し、携帯電話２００はこれを表示する。商品購入トップページＰ１には、販売している商品のリストが表示される。購入者は、入力キーにより商品購入トップページＰ１から購入する商品を選択する。これにより、携帯電話２００からＷＥＢサーバ１００へ、選択された商品の商品ＩＤ及び端末ＩＤが送信される。
【００３２】
次に、携帯電話２００は、ＷＥＢサーバ１００から商品購入ページＰ３を受信し、表示する。商品購入ページＰ３には、購入者が選択した商品の情報、当該商品に含まれるコンテンツファイルのリスト、各コンテンツファイルの説明情報、購入要求ボタン等が表示される。商品の情報は、例えば、商品名やダウンロード可能な期間、金額の情報などである。また、コンテンツファイルの説明情報は、例えば、当該コンテンツファイルに含まれるコンテンツのタイトルや説明、ファイルサイズなどの情報である。購入者は、入力キーにより購入する商品を決定し、購入要求ボタンを選択する。これにより、携帯電話２００からＷＥＢサーバ１００へ端末ＩＤ、商品ＩＤ、及び、購入要求が通知される。
【００３３】
次に、携帯電話２００は、ＷＥＢサーバ１００から課金認証ページＰ５を受信し、表示する。課金認証ページＰ５には、利用規約、パスワードを入力するためのフィールド、利用規約に同意する旨を確認するための同意ボタンなどが表示される。購入者は、携帯電話２００の表示する利用規約を閲覧し、同意する場合は、入力キーによりパスワードを入力して、同意ボタンを選択する。これにより、携帯電話２００からＷＥＢサーバ１００へ、パスワードと利用規約に同意した旨が通知される。
【００３４】
ＷＥＢサーバ１００において課金認証が行われた後、携帯電話２００は、ＷＥＢサーバ１００からコンテンツ１のダウンロードページＰ７を受信し、表示する。図８は、ダウンロードページＰ７の表示例を示す図である。ダウンロードページＰ７には、商品の情報、コンテンツ１のコンテンツファイルをダウンロードするためのサイトへのリンクＡ２、コンテンツ１のコンテンツファイルのサイズが表示される。購入者は、入力キーによりコンテンツ１のコンテンツファイルのダウンロードサイトへのリンクＡ２を選択する。
【００３５】
図７において、ＷＥＢサーバ１００は、携帯電話２００からコンテンツ１のコンテンツファイルのダウンロードサイトへのアクセスを受けると、コンテンツＤＢ１３０から読み出したコンテンツ１のコンテンツファイルと、ファイルリスト配信アドレスの情報とを携帯電話２００へ送信する。携帯電話２００は、受信したコンテンツファイルを再生してコンテンツ閲覧画面Ｐ９にコンテンツ１を表示し、コンテンツ１の最後に、ファイルリスト配信アドレスへのリンクＡ１を表示する。購入者は、さらに他のコンテンツを閲覧する場合、入力キーによりファイルリスト配信アドレスへのリンクＡ１を選択する。
【００３６】
ＷＥＢサーバ１００は、携帯電話２００からファイルリスト配信アドレスによるアクセスを受けると、ファイルリスト表示ページＰ１１を生成し、返送する。図９は、ファイルリスト表示ページＰ１１の表示例を示す図である。ファイルリスト表示ページＰ１１には、商品の情報、商品に含まれる各コンテンツのコンテンツファイルをダウンロードするためのサイトへのリンクＡ３、各コンテンツファイルのサイズが表示される。なお、リンクＡ３には、各コンテンツのタイトルが表示される。購入者は、ダウンロードしたいコンテンツに対応したリンクＡ３を入力キーにより選択する。
【００３７】
図７において、携帯電話２００は、選択したコンテンツのコンテンツファイルに対応したダウンロードページＰ１３をＷＥＢサーバ１００から受信し、表示する。なお、ダウンロードページＰ１３は、各コンテンツ２〜ｎのコンテンツファイルのダウンロードページＰ１３−２〜ｎのいずれかを示すものとする。ダウンロードページＰ１３には、ファイルリスト表示ページＰ１１において選択したコンテンツのコンテンツファイルをダウンロードするためのサイトへのリンクが表示される。購入者は、入力キーによりダウンロードサイトへのリンクを選択する。
【００３８】
ＷＥＢサーバ１００は、コンテンツファイルのダウンロードサイトへのアクセスを受けると、コンテンツＤＢ１３０から読み出したコンテンツファイルと、ファイルリスト配信アドレスの情報とを携帯電話２００へ送信する。携帯電話２００は、受信したコンテンツファイルを再生してコンテンツ閲覧画面Ｐ９にコンテンツを表示し、このコンテンツの最後に、ファイルリスト配信アドレスへのリンクＡ１を表示する。
【００３９】
なお、上記においては、商品に含まれるコンテンツファイルをコンテンツプロバイダが決定し、商品情報に登録しているが、購入者が、商品の購入手続きを行う際に、商品に含めるコンテンツファイルを任意に決定してもよい。例えば、購入者の携帯電話２００から、購入を希望する１以上のコンテンツファイルの情報を受信する。ＷＥＢサーバ１００は、新たな商品ＩＤを生成し、この生成した商品ＩＤと、購入者が購入を希望するコンテンツファイルのＩＤとを商品情報に登録する。
【００４０】
上記実施の形態においては、コンテンツ再生端末を携帯電話としたが、ＰＨＳ（パーソナル・ハンディホン・システム）端末や、ＰＤＡ（Personal Digital Assistants：情報携帯端末）、あるいは、専用端末などであってもよい。
また、上記実施の形態においては、ＷＥＢサーバ１００内に、コンテンツＤＢ１３０及び購入者ＤＢ１４０を備えているが、ＷＥＢサーバ１００とはネットワークを介して接続されるデータベースサーバによりコンテンツＤＢ１３０、購入者ＤＢ１４０を実現する構成としてもよい。
【００４１】
なお、上述のＷＥＢサーバ１００及び携帯電話２００は、内部にコンピュータシステムを有している。そして、上述したＷＥＢサーバ１００のサイト生成部１５０、ビューア配布部１６０、課金認証・コンテンツ配信部１７０、ファイルリスト送信部１８０、及び、第２の配信部１９０、ならびに、携帯電話２００のウェブ画面表示部２５０、コンテンツ再生部２６０、及び、情報送信部２７０の動作の過程は、プログラムの形式でコンピュータ読み取り可能な記録媒体に記憶されており、このプログラムをコンピュータシステムが読み出して実行することによって、上記処理が行われる。ここでいうコンピュータシステムとは、ＯＳや周辺機器等のハードウェアを含むものである。
【００４２】
また、「コンピュータ読み取り可能な記録媒体」とは、ＲＯＭの他に、磁気ディスク、光磁気ディスク、ＣＤ−ＲＯＭ、ＤＶＤ−ＲＯＭ等の可搬媒体、コンピュータシステムに内蔵されるハードディスク、不揮発性メモリ等の記憶装置のことをいう。さらに「コンピュータ読み取り可能な記録媒体」とは、インターネット等のネットワークや電話回線等の通信回線を介してプログラムが送信された場合のシステムやクライアントとなるコンピュータシステム内部の揮発性メモリ（ＲＡＭ）のように、一定時間プログラムを保持しているものも含むものとする。
【００４３】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【図面の簡単な説明】
【００４４】
【図１】本発明の一実施の形態によるコンテンツ配信システムの構成図である。
【図２】同実施の形態による携帯電話の構成を示すブロック図である。
【図３】同実施の形態によるＷＥＢサーバの構成を示すブロック図である。
【図４】同実施の形態による商品情報の設定例を示す図である。
【図５】同実施の形態による購入者情報の設定例を示す図である。
【図６】同実施の形態によるコンテンツ配信システムの動作手順を示す図である。
【図７】同実施の形態による携帯電話における購入・ダウンロード遷移を示す図である。
【図８】同実施の形態によるダウンロードページの表示例を示す図である。
【図９】同実施の形態によるファイルリスト表示ページの表示例を示す図である。
【符号の説明】
【００４５】
１００…ＷＥＢサーバ（コンテンツ配信装置）
１１０，２１０…制御部
１２０，２２０…通信部
１３０…コンテンツＤＢ（コンテンツ記憶手段）
１４０…購入者ＤＢ（購入者記憶手段）
１５０…サイト生成部
１６０…ビューア配布部
１７０…課金認証・コンテンツ配信部
１７１…課金認証部（課金認証手段）
１７２…第１の配信部（配信手段）
１８０…ファイルリスト送信部（ファイルリスト送信手段）
１９０…第２の配信部（配信手段）
２００…携帯電話（コンテンツ再生端末）
２３０…入力部
２４０…出力部
２５０…ウェブ画面表示部（表示手段）
２６０…コンテンツ再生部（コンテンツ再生手段）
２７０…情報送信部
２７１…購入要求送信部（購入要求送信手段）
２７２…ファイルリスト要求部（ファイルリスト要求手段）
２７３…選択ファイル通知部（選択ファイル通知手段）
２８０…コンテンツファイル記憶部
【図１】
2006215701.tif 000003
【図２】
2006215701.tif 000004
【図３】
2006215701.tif 000005
【図４】
2006215701.tif 000006
【図５】
2006215701.tif 000007
【図６】
2006215701.tif 000008
【図７】
2006215701.tif 000009
【図８】
2006215701.tif 000010
【図９】
2006215701.tif 000011